(57)【特許請求の範囲】
【請求項１】
指内部の静脈層を反射した反射光及び当該静脈層を透過した透過光を撮像する撮像部分を複数有し、当該各撮像部分が互いに異なる時期に撮像を行うように制御される撮像部と、
上記静脈層に対して、上記撮像部と同一方向側に配置され、近赤外光を照射する複数の光源を有する照射部と、
上記照射部の一部を構成する１又は２以上の光源から前記撮像を行う時期に連動して照射された近赤外光が、上記複数の撮像部分のうち撮像時期にある撮像部分に対応する静脈部分の後方で散乱するように、上記照射部を制御する照射制御部と
を具える撮像装置。
【請求項２】
上記照射制御部は、
上記複数の光源の一部以外の光源の照射を抑制させる
請求項１に記載の撮像装置。
【請求項３】
撮像部と同一方向側に配置され、指内部の静脈層に対して近赤外光を照射する複数の光源を有する照射部を駆動する撮像方法であって、
上記静脈層を反射した反射光及び上記静脈層を透過した透過光を撮像する撮像部における複数の撮像部分が互いに異なる時期に撮像される場合、上記照射部の一部を構成する１又は２以上の光源から前記撮像される時期に連動して照射された近赤外光が、上記複数の撮像部分のうち撮像時期にある撮像部分に対応する静脈部分の後方で散乱するように、上記照射部を制御する
撮像方法。
【請求項４】
撮像部と同一方向側に配置され、指内部の静脈層に対して近赤外光を照射する複数の光源を有する照射部を駆動する撮像プログラムであって、
コンピュータに対して、
上記静脈層を反射した反射光及び上記静脈層を透過した透過光を撮像する撮像部における複数の撮像部分が互いに異なる時期に撮像される場合、上記照射部の一部を構成する１又は２以上の光源から前記撮像される時期に連動して照射された近赤外光が、上記複数の撮像部分のうち撮像時期にある撮像部分に対応する静脈部分の後方で散乱するように、上記照射部を制御することを実行させる
撮像プログラム。
【発明の詳細な説明】
【技術分野】
【０００１】
本発明は撮像装置、撮像方法及び撮像プログラムに関するものである。
【背景技術】
【０００２】
認証手段として生体を利用したものが普及していきている。また、携帯電話機等の携帯通信機器に生体認証を搭載することにより、携帯通信機器を通じて、どこでも通信相手に対して認証処理が容易に行えるようになる等、携帯通信機器に生体認証装置を搭載することは重要である。近年の携帯通信機器の小型化・高密度化は著しく、搭載される装置の小型化は重要な課題となる。
【０００３】
従来、生体認証装置には、静脈を対象として利用した静脈認証装置があり、また静脈認証装置には、透過型と呼ばれる静脈認証装置がある。この透過型の静脈認証装置では、認証対象となる静脈を含む指を挟むように、光の照射部と撮像部とが設けられ、当該静脈の後方から近赤外光が照射される。これにより非静脈部分は明るい状態となる一方で、静脈部分はヘモグロビンの吸光特性により暗い状態が保たれ、静脈部分と非静脈部分のコントラストが鮮明になり、この結果、良好な静脈画像を得ることが可能となる。
【０００４】
しかし、透過型の静脈認証装置では、光の照射部と撮像部とが指を挟むように設けられ、また、一般には、光の照射部と撮像部との間に挟まれる指を、撮像光以外の光を遮蔽する遮蔽部で覆うようになっており、認証対象者に対して、指が覆われるという不安を感じさせたり、装置が大型化したりするといった問題があった。これらの問題を解決するものとして、反射散乱型の静脈認証装置がある（特許文献１参照）。
【０００５】
この反射散乱型の静脈認証装置では、光の照射部と撮像部とが、認証対象となる静脈を含む指に対して同一方向側に設けられ、遮蔽部で覆うことなく、当該静脈の後方から近赤外光が照射される。これにより透過型の静脈認証装置に比して、認証対象者に安心感をあたえると共に小型化を実現できる。さらに、認証対象となる静脈層の後方に散乱光を生じさせることにより、非静脈部分は明るくなる一方で、静脈部分はヘモグロビンの吸光特性により暗い状態が保たれ、良好なコントラストを持った静脈画像の取得が可能になる。
【特許文献１】国際公開第０３／０９６２７２号パンフレット
【発明の開示】
【発明が解決しようとする課題】
【０００６】
しかし、光の照射部と撮像部とを、認証対照となる指に対して同一方向側に設ける場合、撮像対象である静脈層と撮像部との間に光が入りこまないように、静脈層に向けて出力する近赤外光を大きく傾ける必要が生じる。そのため、装置が大型化してしまうという問題があった。
【０００７】
本発明は以上の点を考慮してなされたもので、小型化し得る撮像装置、撮像方法及び撮像プログラムを提案しようとするものである。
【課題を解決するための手段】
【０００８】
かかる課題を解決するため本発明は、撮像装置であって、指内部の静脈層を反射した反射光及び当該静脈層を透過した透過光を撮像する撮像部分を複数有し、当該各撮像部分が互いに異なる時期に撮像を行うように制御される撮像部と、静脈層に対して、撮像部と同一方向側に配置され、近赤外光を照射する複数の光源を有する照射部と、照射部の一部を構成する１又は２以上の光源から撮像を行う時期に連動して照射された近赤外光が、複数の撮像部分のうち撮像時期にある撮像部分に対応する静脈部分の後方で散乱するように、照射部を制御する照射制御部とを設ける。
【０００９】
また本発明は、撮像部と同一方向側に配置され、指内部の静脈層に対して近赤外光を照射する複数の光源を有する照射部を駆動する撮像方法であって、静脈層を反射した反射光及び静脈層を透過した透過光を撮像する撮像部における複数の撮像部分が互いに異なる時期に撮像される場合、照射部の一部を構成する１又は２以上の光源から前記撮像される時期に連動して照射された近赤外光が、複数の撮像部分のうち撮像時期にある撮像部分に対応する静脈部分の後方で散乱するように、照射部を制御する。
【００１０】
さらに本発明は、撮像部と同一方向側に配置され、指内部の静脈層に対して近赤外光を照射する複数の光源を有する照射部を駆動する撮像プログラムであって、コンピュータに対して、静脈層を反射した反射光及び静脈層を透過した透過光を撮像する撮像部における複数の撮像部分が互いに異なる時期に撮像される場合、照射部の一部を構成する１又は２以上の光源から前記撮像される時期に連動して照射された近赤外光が、複数の撮像部分のうち撮像時期にある撮像部分に対応する静脈部分の後方で散乱するように、照射部を制御することを実行させる。
【発明の効果】
【００１１】
以上のように本発明によれば、照射部から照射された近赤外光が、複数の撮像部分のうち撮像時期にある撮像部分に対向する静脈層の後方で散乱するように照射部が制御されるようにしたことにより、照射部から照射された近赤外光が撮像時期にない撮像部分と静脈層との間に入り込むことを許容できるようになるため、照射部を撮像対象に近づけても十分な認証精度を得ることができ、かくして小型化を実現することができる。
【発明を実施するための最良の形態】
【００１２】
以下図面について、本発明を適用した一実施の形態を詳述する。
【００１３】
（１）認証装置の全体構成
図１において、本実施の形態による認証装置１の全体構成を示す。この認証装置１は、制御部１０に対して、操作部１１、撮像部１２、メモリ１３、インターフェース１４及び通知部１５をそれぞれバス１６を介して接続することにより構成される。
【００１４】
制御部１０は、認証装置１全体の制御を司るＣＰＵ(Central Processing Unit)と、各種プログラム及び設定情報などが格納されるＲＯＭ(Read Only Memory)と、当該ＣＰＵのワークメモリとしてのＲＡＭ(Random Access Memory)とを含むコンピュータとして構成される。
【００１５】
この制御部１０には、登録対象のユーザ（以下、これを登録者と呼ぶ）における指の静脈を登録するモード（以下、これを血管登録モードと呼ぶ）の実行命令ＣＯＭ１又は登録者本人の有無を判定するモード（以下、これを認証モードと呼ぶ）の実行命令ＣＯＭ２が、ユーザ操作に応じて操作部１１から入力される。
【００１６】
制御部１０は、かかる実行命令ＣＯＭ１、ＣＯＭ２に基づいて実行すべきモードを決定し、この決定結果に対応するプログラムに基づいて、撮像ユニット１２、メモリ１３、インターフェース１４及び通知部１５を適宜制御し、血管登録モード又は認証モードを実行するようになされている。
【００１７】
撮像ユニット１２は、指が配される面（以下、これを指配置面と呼ぶ）上に撮像光を照射し、該指配置面に配される指内方の静脈を含む画像（以下、これを静脈画像と呼ぶ）に関する画像データを制御部１０に出力するようになされている。
【００１８】
メモリ１３は、例えばフラッシュメモリでなり、制御部１０により指定されるデータを記憶し、又は読み出すようになされている。
【００１９】
インターフェース１４は、所定の伝送路を介して接続された外部の装置との間で各種データを授受するようになされている。
【００２０】
通知部１５は、表示部１５ａ及び音声出力部１５ｂでなり、該表示部１５ａは、制御部１０から与えられる表示データに基づく文字や図形を表示画面に表示する。一方、音声出力部１５ｂは、制御部１０から与えられる音声データに基づく音声を、スピーカから出力するようになされている。
【００２１】
（１−１）血管登録モード
次に、血管登録モードについて説明する。制御部１０は、実行すべきモードとして血管登録モードを決定した場合、指配置面に指を配すべきことを通知部１５を介して通知した後、図２に示すように、駆動部２１、静脈情報抽出部２２及び登録部２３として機能する。
【００２２】
この場合、駆動部２１は、所定の制御信号を生成し、該制御信号にしたがって撮像ユニット１２を駆動させる。
【００２３】
静脈情報抽出部２２は、撮像ユニット１２から与えられる画像データに基づいて、静脈画像に映し出される静脈に関する情報（以下、これを静脈情報と呼ぶ）を抽出する。この静脈情報は、例えば、血管幅の中心若しくは輝度ピークが抽出された静脈画像、当該血管幅の中心若しくは輝度ピークの全部又は一部、または、血管に曲線近似させたパラメータ等、種々のものを採用することができる。
【００２４】
登録部２３は、静脈情報抽出部２２により抽出された静脈情報を取得し、これを登録データとしてメモリ１３に記憶することにより登録する。
【００２５】
このようにして制御部１０は、血管登録モードを実行することができるようになされている。
【００２６】
（１−２）認証モード
次に、認証モードについて説明する。制御部１０は、実行すべきモードとして認証モードを決定した場合、指配置面に指を配置すべきことを通知部１５を介して通知した後、図２との対応部分に同一符号を付した図３に示すように、駆動部２１、指配置面２２、認証部３１として機能する。
【００２７】
この場合、駆動部２１は、撮像ユニット１２を駆動させ、指配置面２２は、撮像ユニット１２から与えられる画像データに基づいて静脈情報を抽出する。
【００２８】
認証部３１は、指配置面２２により抽出された静脈情報と、メモリ１３に登録データとして登録された静脈情報とを照合する。
【００２９】
また認証部３１は、この照合結果として得られる静脈情報の相関の程度が所定のレベル未満となる場合、登録者と承認することができないものと判定する。この場合、認証部３１は、登録者と承認することができないことを、表示部１５ａ及び音声出力部１５ｂを介して視覚的及び聴覚的に通知する。
【００３０】
一方、認証部３１は、照合結果として得られる静脈情報の相関の程度が所定のレベル以上となる場合、登録者と承認することができるものと判定する。この場合、認証部３１は、所定の処理の実行を開始させるためのデータを、インターフェース１４に接続された装置に送出する。この装置では、所定の処理として、例えば、ドアを一定期間閉錠させる、あるいは、制限対象の動作モードを解除させる等、認証成功時に実行すべき処理が行われる。
【００３１】
このようにしてこの制御部１０は、認証モードを実行することができるようになされている。
【００３２】
（２）撮像ユニットの構成
次に、撮像ユニット１２について説明する。
【００３３】
撮像ユニット１２は、携帯電話機等の携帯機器にも搭載可能なユニットである。
【００３４】
撮像ユニット１２の構成例を、図４（Ａ）及び図４（Ａ）のＸ−Ｙ断面をとった図４（Ｂ）を用いて説明する。この図４の例では、撮像ユニット１２は、エリアイメージセンサ４１及びマイクロレンズアレイ４２を含む撮像部１２Ａと、複数の光源４３１〜４３ｎ及び複数のプリズム４４１〜４４ｎを含む照射部１２Ｂとによって構成される。
【００３５】
エリアイメージセンサ４１は、複数の受光素子が格子状に配置された撮像面をもつ撮像素子でなり、走査ライン上の受光素子ごとに順次撮像を行うように駆動部２１（図２、図３）によって制御される。このエリアイメージセンサ４１の撮像面は、指配置面の裏面に対して、所定距離を隔てた位置に対向配置される。
【００３６】
マイクロレンズアレイ４２は、格子状に配された対物レンズをもつ板部材でなり、これら対物レンズによって、光入射面から入射される光をエリアイメージセンサ４１の撮像面に導光するようになされている。この実施の形態では、マイクロレンズアレイ４２のうち対物レンズの光入射面側の面が指配置面とされる。
【００３７】
この実施の形態の場合、マイクロレンズアレイ４２のうち対物レンズの光入射面側の面が指配置面とされる。この場合、指配置面に指が配された場合、指表面によって覆われる光入射面には、光源から指内方を介して得られる光（近赤外光）以外の外光（可視光等の雰囲気中の光）がおおよそ入射されないこととなる。したがって、マイクロレンズアレイ４２は、外光に起因するノイズ成分の含有が少ない近赤外光を、エリアイメージセンサ４１の撮像面に導光することができるようになされている。
【００３８】
各光源４３１〜４３ｎ及び各プリズム４４１〜４４ｎは、指配置面（光入力面）に配される指内方における静脈層に対して、エリアイメージセンサ４１が設けられた側と同一の方向に設けられる。
【００３９】
この図４の例では、図４（Ｂ）からも明らかなように、指配置面（光入力面）に配される指内方における静脈層を基準として分けられる指配置面側のエリアと、その指配置面側とは逆側のエリアとのうち、エリアイメージセンサ４１が設けられている指配置面側のエリアに、各光源４３１〜４３ｎ及び各プリズム４４１〜４４ｎが設けられている。
【００４０】
これら各光源４３１〜４３ｎ及び各プリズム４４１〜４４ｎは、２つを組として、指配置面（光入力面）を挟み込むように、指配置面（光入力面）に配される指の長手方向に沿って配置される。
【００４１】
各光源４３１〜４３ｎは、脱酸素化ヘモグロビン及び酸素化ヘモグロビンの双方に対して特異的に吸収される特性をもつ波長域（７００[nm]〜９００[nm]）に含まれる波長でなる近赤外光を発射する。これら光源４３１〜４３ｎには、プリズム４４１〜４４ｎに対する部分以外を遮蔽する遮蔽部材ＳＬにより覆われる。
【００４２】
一方、プリズム４４１〜４４ｎは、対応する光源４３１〜４３ｎから遮蔽部材ＳＬを介して発射される近赤外光を、指配置面（光入力面）の上方であって、該指配置面に指が配された場合にその指内方の静脈層よりも後方となる部分に対して照射するようになされている。
【００４３】
静脈層は、皮膚の３層構造（表皮層、真皮層、皮下組織層）における中間層（真皮層）に含まれており、真皮層は、指表面に対して０．１〜０．３［mm］の位置から２〜３［mm］の厚みをもつ。このことから、指配置面からその垂直方向におおよそ３．５［mm］以上隔てた部分を照射対象とすれば、指配置面（光入力面）に指を配した場合に真皮層の上側となる皮下組織層、つまり、静脈層の後方に近赤外光を照射できる。
【００４４】
具体的には、各プリズム４４１〜４４ｎは、例えば図５に示すように、指配置面（光入力面）に対して所定の角度θをもつ方向から、静脈層の後方に照射するようになされている。この角度θは、３０［°］〜６０［°］のいずれかに選定される。ちなみに、図５は、便宜上、光源４４６から、対応するプリズム４３６を介して照射される近赤外光の入射角についてのみ示している。
【００４５】
したがって、撮像ユニット１２では、指配置面（光入力面）に配された指内方の静脈層の後方に近赤外光が照射された場合、近赤外光は、指内方に進入し、その指内方において反射及び散乱によって静脈層と表皮層を経由し、マイクロレンズアレイ４２の光入力面に入射する。この光入力面に入射する近赤外光は、指内方における非静脈部分では明るい状態となる一方、静脈部分ではヘモグロビンの吸光特性により暗い状態が保たれることにより、静脈部分と非静脈部分のコントラストが鮮明となっており、静脈を投影する光（以下、これを静脈投影光と呼ぶ）として、エリアイメージセンサ４１の撮像面に導光される。
【００４６】
このようにこの撮像ユニット１２は、照射部１２Ｂによって指内方の静脈層よりも後方となる部分に対して照射することにより、静脈部分と非静脈部分のコントラストが鮮明となる静脈投影光を撮像部１２Ａに入射させることができ、この結果、指内方における血管をより忠実に再現することができる。
【００４７】
かかる構成に加えて、この撮像ユニット１２における照射部１２Ｂは、指配置面（光入力面）に配された指の静脈後方に相当する空間全体を照射対象とするのではなく、当該空間に対する照射対象を、エリアイメージセンサ４１における１又は２以上の走査ラインに対応させて割り当てるようになされている。
【００４８】
この実施の形態では、例えば図６に示すように、１対のプリズム４４９及び４４１０は、指配置面（光入力面）に指を配した場合、エリアイメージセンサ４１における例えば１１ライン目から１５ライン目までの走査ラインへの結像対象となる静脈の後方の空間領域ＡＲＭに対して、光源４３９及び４３１０が照射対象として割り当てられるように、その照射方向や位置等が選定されている。
【００４９】
同様に、１対のプリズム４４（ｎ−１）及び４４ｎは、エリアイメージセンサ４１における２１ライン目から２５ラインまでの走査ラインへの結像対象となる静脈の後方の空間領域ＡＲ（Ｍ−１）に対して、光源４３（ｎ−１）及び４３ｎが照射対象として割り当てられるように、その照射方向や位置等が選定され、…………、１対のプリズム４４３及び４４４は、エリアイメージセンサ４１における３５ライン目から４０ライン目までの走査ラインへの結像対象となる静脈の後方の空間領域ＡＲ１に対して、が照射対象として割り当てられるように、その照射方向や位置等が選定されている。
【００５０】
このようにこの図６の例では、静脈層よりも後方に相当する空間領域ＡＲ１〜ＡＲＭに対する照射対象が、エリアイメージセンサ４１における撮像部分（５つの走査ライン）への結像対象となる静脈の後方の空間領域ＡＲ１〜ＡＲＭごとに、各組のプリズム４４１及び４４２、４４３及び４４４、……、４４（ｎ−１）及び４４ｎと、光源４３１及び４３２、４３３及び４３４、……、４３（ｎ−１）及び４３ｎにおける照射対象がそれぞれ割り当てられている。
【００５１】
なお、この図６の例では、各空間領域と、各組のプリズム及び光源における照射対象とが一対一に対応されているが、一の空間領域に、複数の組のプリズム及び光源を対応させるといったように、撮像部分への結像対象となる静脈の後方の空間領域それぞれに照射対象が割り当てられていれば、割り当て手法は問わない。
【００５２】
（３）制御部における撮像ユニットの駆動処理
一方、この認証装置１の制御部１０は、血管登録モード又は認証モードにおいて駆動部２１として機能し、撮像ユニット１２を駆動する場合、エリアイメージセンサ４１における各走査ラインのうち、走査対象となる走査ラインに連動させて光源４３１〜４３ｎの一部だけを点灯させるようになされている。
【００５３】
具体的に駆動部２１は、１又は２以上の走査ラインにおける走査期間の開始時点よりも所定の期間前からその走査期間を経過するまで、当該走査ラインへの結像対象となる静脈の後方の空間領域ＡＲ１、ＡＲ２、……、又はＡＲＭに割り当てられた光源４３１及び４３２、４３３及び４３４、……、又は４３（ｎ−１）及び４３ｎだけを点灯させる。
【００５４】
図６の例では、駆動部２１は、例えば１ライン目から５ライン目までの走査ラインを走査する場合、１ライン目に対する走査期間の開始時点よりも所定の期間前から、５ライン目の走査期間の終了時点まで、当該走査ラインへの結像対象となる静脈の後方の空間領域ＡＲ１に割り当てられた光源４４（ｎ−１）及び４４ｎだけを点灯させる。
【００５５】
この場合、この光源４４（ｎ−１）及び４４ｎから照射される近赤外光は、図６からも明らかなように、非走査対象となる６ライン目以降の走査ラインへの結像対象となる静脈の後方の空間領域ＡＲ２〜ＡＲＭを通って、現在の走査対象となる走査ラインへの結像対象となる静脈後方に、指表面に対して斜めから指内方に進入することになる。
【００５６】
また、指内方に進入した近赤外光は、その指内方において反射及び散乱によって静脈層と表皮層を経由し、静脈投影光として、指表面からマイクロレンズアレイ４２を介して、エリアイメージセンサ４１における１ライン目から５ライン目までの走査ラインに入射し、指配置面に配された指内方における静脈層のうち、現在の撮像対象となる静脈部分だけが結像されることになる。
【００５７】
このようにこの撮像ユニット１２は、図７において概略的に示すように、未撮像部分に相当する空間領域ＡＲ２〜ＡＲＭを、現在の撮像部分に相当する空間領域ＡＲ１に対する照射光路とすることが可能となる。したがって、この撮像ユニット１２は、指配置面（光入射面）に対して照射部１２Ｂを、空間領域ＡＲ１〜ＡＲＭ全体を照射対象とする場合に比して近づけることができ、小型化が可能となる。
【００５８】
またこの撮像ユニット１２は、各光源４３１〜４３ｎを同時に点灯する場合に比して、無駄な消費電力を削減できることに加え、走査対象となっている空間領域ＡＲ１の静脈投影光に対して、当該空間領域ＡＲ１以外の空間領域ＡＲ２〜ＡＲＭ上における静脈投影光が混入するといったことを大幅に低減することができ、この結果、生体（指）内方における血管を忠実に再現させることができる。
【００５９】
（４）動作及び効果
以上の構成において、この認証装置１は、指配置面（光入力面）に配された指の静脈後方に相当する空間領域に対する照射対象を、エリアイメージセンサ４１における１又は２以上の走査ラインに対応させて割り当てる（図６）。
【００６０】
そしてこの認証装置１は、走査ラインにおける走査期間の開始時点よりも所定の期間前からその走査期間を経過するまで、当該走査ラインに対応する空間領域ＡＲ１、ＡＲ２、……、又はＡＲＭに割り当てられた光源４３１及び４３２、４３３及び４３４、……、又は４３（ｎ−１）及び４３ｎを駆動させる（図５）。
【００６１】
これによりこの認証装置１は、指内方における静脈を、走査ラインに対応する空間領域ＡＲ１、ＡＲ２、……、又はＡＲＭに対応する静脈部分ごとに個別に撮像することができる。
【００６２】
またこの認証装置１は、走査対象ではない未撮像部分に相当する空間領域を、現走査対象の撮像部分に相当する空間領域に対する照射光路とすることが可能、つまり、各光源４３１〜４３ｎにおける照射光路を、当該光源４３１〜４３ｎと指配置面との間における空間内において共用することができるので、指配置面（光入射面）に対して照射部１２Ｂを、空間領域ＡＲ１〜ＡＲＭ全体を照射対象とする場合に比して近づけることができ、小型化できる。
【００６３】
またこの認証装置１では、各光源４３１及び４３２、４３３及び４３４、……、４３（ｎ−１）及び４３ｎの照射方向としては、指配置面とのなす角度θが３０［°］〜６０［°］のいずれかに設定されている（図６）。
【００６４】
これによりこの認証装置１は、指配置面に配される指に対する、各光源４３１〜４３ｎからの近赤外光の入射角を浅くすることができるため、指表面での反射光を、当該指表面に対して１８０［°］対向する方向から近赤外光を照射する場合に比して低減することができ、この結果、指内方における血管をより忠実に再現することができる。
【００６５】
以上の構成によれば、指配置面のうち、走査ラインに対応する領域ＡＲ１、ＡＲ２、……、又はＡＲＭだけに撮像光を個別に照射し、該指配置面に配される指内方における血管のうち、撮像面に投影される血管を、走査対象となる際にその走査ラインに対応する血管ごとに読み取ることができるようにしたことにより、エリアイメージセンサ４１全体の画像の質を良質なものとすることができ、かくして良質の画像を得るための範囲を拡張し得る認証装置１を実現できる。
【００６６】
（５）他の実施の形態
上述の実施の形態においては、照射部１２Ｂとして、複数のプリズム４３１〜４３ｎ及び複数の光源４３１〜４３ｎにより構成するようにした場合について本発明はこれに限らず、撮像素子における撮像部分に対応する空間領域ＡＲ１〜ＡＲＭごとに照射対象を割り当てるものであれば、この他種々の構成を採用することができる。
【００６７】
例えば、回転移動又は平行移動が可能となる移動部材を、指配置面（光入力面）を挟み込むように設け、当該移動部材に対し、一の光源をそれぞれ設けるようにする。一方、駆動部２１は、移動部材に設けられた光源の照射対象が撮像部分に対応する空間領域ＡＲ１、ＡＲ２、……、又はＡＲＭとなるように、当該撮像素子における撮像部分に連動させて、移動部材を移動させる。このようにすれば、複数のプリズム４４１〜４４ｎを省略させることができ、より一段と小型化が可能となる。
【００６８】
また、複数のプリズム４３１〜４３ｎ及び複数の光源４３１〜４３ｎの構成を適用する場合、その配置等は図４に示した場合に限らず、撮像素子における撮像部分に対応する空間領域ＡＲ１〜ＡＲＭごとに照射対象を割り当てるものであれば、この他種々の配置等を採用することができる。
【００６９】
また上述の実施の形態においては、１つの光源につき１つずつ個別にプリズムを配するようにした場合について述べたが、本発明は、例えば、複数の光源につき１つのプリズムを配する等、光源とプリズムとの対応関係を一対一の関係に強要するものではない。
【００７０】
さらに上述の実施の形態においては、プリズムの照射方向と、指配置面とのなす角を３０［°］〜６０［°］のいずれかに選定するようにした場合について述べたが、本発明はこれに限らず、これ以外の角度で選定するようにしてもよい。具体的には、３０［°］〜４５［°］の範囲であることが好ましいが、少なくとも鈍角であれば、表面反射光を低減することができる。
【００７１】
さらに上述の実施の形態においては、脱酸素化ヘモグロビン及び酸素化ヘモグロビンの双方に対して特異的に吸収される特性をもつ波長域に含まれる波長の光を照射する光源を適用するようにした場合について述べたが、本発明はこれに限らず、撮像環境によっては、これ以外の波長の光を照射する光源を適用するようにしてもよい。
【００７２】
さらに上述の実施の形態においては、光学系として、マイクロレンズアレイ４１を適用するようにした場合について述べたが、本発明はこれに限らず、例えば図８に示すように、指配置面から入射する光を折り曲げてエリアイメージセンサ４１に導光する光学系を適用するようにしてもよい。なお、エリアイメージセンサ４１に導光する光学系であれば、この折り曲げ式の光学系やマイクロレンズアレイ４１以外の光学系を適宜採用することができる。
【００７３】
さらに上述の実施の形態においては、２次元の撮像素子（エリアイメージセンサ４１）を適用するようにした場合について述べたが、本発明はこれに限らず、指配置面と平行に移動可能でなる１次元の撮像素子（ラインイメージセンサ）を適用するようにしてもよい。
【００７４】
さらに上述の実施の形態においては、撮像機能、照合機能及び登録機能を有する認証装置１を適用するようにした場合について述べたが、本発明はこれに限らず、当該用途に応じて、機能ごとに又は各機能の一部を単体の装置に分けた態様で適用するようにしてもよい。
【産業上の利用可能性】
【００７５】
本発明は、バイオメトリクス認証分野において利用可能である。
【図面の簡単な説明】
【００７６】
【図１】本実施の形態による認証装置の構成を示すブロック図である。
【図２】血管登録モードにおける制御部の機能的構成を示すブロック図である。
【図３】認証モードにおける制御部の機能的構成を示すブロック図である。
【図４】撮像部の構成を示す略線図である。
【図５】照射方向と、指配置面との関係を示す略線図である。
【図６】走査ラインに対応する領域への照射対象の割り当ての説明に供する略線図である。
【図７】全照射する場合と、部分照射する場合とにおける指配置位置及び照射部の位置間の距離の説明に供する略線図である。
【図８】他の実施の形態による光学系を示す略線図である。
【符号の説明】
【００７７】
１……認証装置、１０……制御部、１１……操作部、１２……撮像ユニット、１３……メモリ、１４……インターフェース、１５……通知部、２１……駆動部、２２……指配置面、２３……登録部、３１……照合部、３２……判定部、４１……マイクロレンズアレイ、４２……エリアイメージセンサ、４３……プリズム、４４……光源。
【図１】
0004910923.tif 000002
【図２】
0004910923.tif 000003
【図３】
0004910923.tif 000004
【図４】
0004910923.tif 000005
【図５】
0004910923.tif 000006
【図６】
0004910923.tif 000007
【図７】
0004910923.tif 000008
【図８】
0004910923.tif 000009